(57)【要約】【課題】一方の表示装置が他方の表示装置に近づいた際に、容易に表示の設定変更を制御することを目的としている。【解決手段】画像を表示する表示部を備えた表示装置において、他の表示装置と無線通信を行う無線通信部と、前記表示装置が動かされたことを検知する移動検知部と、前記移動検知部によって前記表示装置が動かされたことを検知した後に、前記無線通信部により送信したデータに対する応答に応じて、前記表示部の設定を変更する制御部と、を有する。【選択図】図４
2020020899.tif 000002
【特許請求の範囲】
【請求項１】
画像を表示する表示部を備えた表示装置において、
他の表示装置と無線通信を行う無線通信部と、
前記表示装置が動かされたことを検知する移動検知部と、
前記移動検知部によって前記表示装置が動かされたことを検知した後に、前記無線通信部により送信したデータに対する応答に応じて、前記表示部の設定を変更する制御部と、を有する、表示装置。
【請求項２】
前記制御部は、
前記送信したデータに対する応答を受信しない場合、入力された画像の全体が表示できるように前記表示部を設定し、
前記送信したデータに対する応答を受信した場合、入力された画像の一部が表示されるように前記表示部を設定する、請求項１記載の表示装置。
【請求項３】
前記無線通信部よりも通信距離が長い他の無線通信部を有し、
前記他の表示装置と、前記他の無線通信部によって、画像データの送受信を行う、請求項１又は２記載の表示装置。
【請求項４】
前記移動検知部は、加速度センサである、請求項１乃至３の何れか一項に記載の表示装置。
【請求項５】
画像を表示する表示部を備えた表示装置による表示方法であって、
他の表示装置と無線通信を行う無線通信手順と、
前記表示装置が動かされたことを検知する移動検知手順と、
前記移動検知手順によって前記表示装置が動かされたことを検知した後に、前記無線通信手順により送信したデータに対する応答に応じて、前記表示部の設定を変更する制御手順と、を有する、表示の設定方法。
【発明の詳細な説明】
【技術分野】
【０００１】
本発明は、表示装置、表示の設定方法に関する。
【背景技術】
【０００２】
従来では、複数の電子黒板もしくは表示装置を近づけて配置し、１つの大きな電子黒板もしくは表示装置として利用する技術が知られている。この技術の１つとして、例えば、複数の表示制御装置のそれぞれが、各表示制御装置の有する赤外線送受信部を介してパケットの送受信を行って、パケットに従った表示設定を行うことが知られている。
【発明の概要】
【発明が解決しようとする課題】
【０００３】
しかしながら、上記従来の技術では、表示制御装置は、自身の設定状況を他の表示制御装置やＰＣ等に伝達するためにパケットを送信しており、パケットの送信の頻度によっては、通信により電力が浪費される可能性がある。
【０００４】
開示の技術は、このような事情に鑑みてなされたものであり、一方の表示装置が他方の表示装置に近づいた際に、容易に表示の設定変更を制御することを目的としている。
【課題を解決するための手段】
【０００５】
開示の技術は、画像を表示する表示部を備えた表示装置において、他の表示装置と無線通信を行う無線通信部と、前記表示装置が動かされたことを検知する移動検知部と、前記移動検知部によって前記表示装置が動かされたことを検知した後に、前記無線通信部により送信したデータに対する応答に応じて、前記表示部の設定を変更する制御部と、を有する。
【発明の効果】
【０００６】
一方の表示装置が他方の表示装置に近づいた際に、容易に表示の設定変更を制御することができる。
【図面の簡単な説明】
【０００７】
【図１】画像を表示する表示部を備えた表示装置であって表示部にユーザからの操作入力を受け付ける機能を備えた表示装置のハードウェア構成の一例を示す図である。
【図２】近距離無線通信装置の設置位置を説明する図である。
【図３】電子黒板の有する制御装置の機能を説明する図である。
【図４】電子黒板の動作を説明する第一のフローチャートである。
【図５】電子黒板の動作を説明する第二のフローチャートである。
【発明を実施するための形態】
【０００８】
以下に図面を参照して、実施形態について説明する。図１は、画像を表示する表示部を備えた表示装置であって表示部にユーザからの操作入力を受け付ける機能を備えた表示装置のハードウェア構成の一例を示す図である。
【０００９】
本実施形態では、表示装置の一例として、電子黒板１００を示す。本実施形態の電子黒板１００は、制御部１０、表示操作部１１、近距離無線通信部１２、移動検知部１３、記憶装置１４、メモリ装置１５、無線通信部１６を有する。
【００１０】
また、本実施形態の電子黒板１００は、スタンド等を用いて移動が可能とされている。また、本実施形態の電子黒板１００は、移動を容易にするために、バッテリー等を積んで、ケーブルレスとされていても良い。
【００１１】
制御部１０は、ＳｏＣ（System-on-a-chip）等であり、電子黒板１００全体の制御を行う。また、制御部１０は、記憶装置１４からプログラムをロードして実行することで、後述する各機能を実現する。
【００１２】
表示操作部１１は、例えば、タッチパネルディスプレイであり、制御部１０から受信した画像データを、画面（図２の描画領域２０）に表示させる。また、表示操作部１１は、画面において、ユーザの指又はペン等が触れた位置を示す座標情報を制御部１０へ送信する。本実施形態の表示操作部１１は、例えば、ディスプレイ一体型の静電容量方式タッチパネル等である。つまり、表示操作部１１は、表示部の一例である。
【００１３】
近距離無線通信部１２は、近距離であり、且つ、通信方向に指向性(直線指向性)を持った、双方向通信が可能な通信装置である。近距離無線通信部１２による通信の方式は、例えば、ＩｒＤＡ（Infrared Data Association）がある。近距離無線通信部１２は、表示操作部１１の両端に設置される。本実施形態で、近距離無線通信部１２による通信の結果に応じて、隣り合うように配置された他の電子黒板１００の有無を判定する。近距離無線通信部１２の設置位置の詳細は後述する。
【００１４】
本実施形態の移動検知部１３は、例えば、加速度センサであっても良い。また、本実施形態の移動検知部１３は、磁気センサであっても良い。移動検知部１３を磁気センサとした場合、電子黒板１００では、表示操作部１１の端部に磁石が設置されても良い。本実施形態の移動検知部１３は、電子黒板１００の位置が動かされたことを検知するための信号を制御部１０に出力する。
【００１５】
記憶装置１４は、制御部１０が読みだして実行するプログラムが格納される。具体的には、記憶装置１４には、電子黒板１００で実行される各種のアプリケーションプログラムや、後述する機能を実現するためのプログラムが格納される。記憶装置１４は、例えば、フラッシュメモリやＨＤＤ（hard disk drive）といった不揮発性の記憶媒体等である。
【００１６】
メモリ装置１５は、制御部１０によるプログラムの展開や、演算データの一次保存等に用いられる。具体的には、メモリ装置１５は、ＤＤＲ（Double-Data-Rate）メモリのような揮発性のメモリである。
【００１７】
無線通信部１６は、近距離無線通信部１２より通信距離が長く、且つ、通信帯域が広く、通信指向性が小さい無線ＬＡＮ（Local Area Network）通信が可能な通信装置である。無線通信部１６は、他の電子黒板１００との間で、表示される画像データの送受信を行う。
【００１８】
次に、図２を参照して、本実施形態の近距離無線通信部１２の設置位置について説明する。図２は、近距離無線通信装置の設置位置を説明する図である。
【００１９】
本実施形態の電子黒板１００には、２つの近距離無線通信部１２−１、１２−２が設けられる。より具体的には、近距離無線通信部１２−１、１２−２は、表示操作部１１の描画領域２０の外周に存在するベゼル上に取り付けられていても良い。尚、近距離無線通信部１２−１、１２−２を区別しない場合には、近距離無線通信部１２と呼ぶ。
【００２０】
近距離無線通信部１２−１は、紙面上の電子黒板１００の右側に配置された近距離無線通信部１２と通信を行う。近距離無線通信部１２−２は、紙面上の電子黒板１００の左側に配置された近距離無線通信部１２と通信を行う。
【００２１】
言い換えれば、近距離無線通信部１２−１は、電子黒板１００の右側に配置された他の電子黒板１００の有する近距離無線通信部１２−２と通信を行う。また、近距離無線通信部１２−２は、電子黒板１００の左側に配置された他の電子黒板１００の有する近距離無線通信部１２−１と通信を行う。
【００２２】
尚、図２の例では、表示操作部１１の描画領域２０の左右にのみ近距離無線通信部１２を配置するものとしたが、これに限定されない。本実施形態では、描画領域２０の上下にも、近距離無線通信部１２を設けても良い。
【００２３】
また、電子黒板１００と並べて配置する他の電子黒板１００は、２台以上であっても良く、任意の台数であって良い。
【００２４】
次に、図３を参照して、本実施形態の電子黒板１００の制御部１０の有する機能について説明する。図３は、電子黒板の有する制御装置の機能を説明する図である。
【００２５】
本実施形態の制御部１０は、近距離データ受信部３０、近距離データ送信部３１、無線データ送信部３２、無線データ受信部３３、入力受付部３４、画像データ生成部３５、描画部３６、移動判定部３７、描画範囲設定部３８を有する。
【００２６】
近距離データ受信部３０は、近距離無線通信部１２を用いたデータの受信を行う。近距離データ送信部３１は、近距離無線通信部１２を用いたデータの送信を行う。
【００２７】
無線データ送信部３２は、無線通信部１６を用いて、画像データを他の電子黒板１００へ送信する。無線データ受信部３３は、無線通信部１６を用いて、他の電子黒板１００から画像データを受信する。
【００２８】
入力受付部３４は、ユーザにより、表示操作部１１の描画領域２０に入力された画像や情報、及び、パソコン等の外部装置が出力した画像データを受け付ける。
【００２９】
画像データ生成部３５は、入力受付部３４が受け付けた画像の画像データや、無線データ受信部３３によって受信された画像データに基づき、描画領域２０に描画する画像の画像データを生成する。また、画像データ生成部３５は、描画範囲設定部３８により設定された描画範囲に基づき、画像データを生成する。
【００３０】
描画部３６は、画像データ生成部３５により生成された画像データを、表示操作部１１の描画領域に描画する。
【００３１】
移動判定部３７は、移動検知部１３の出力に応じて、電子黒板１００が移動したか否かを判定する。言い換えれば、移動判定部３７は、電子黒板１００が配置される場所が変更されたか否かを判定する。
【００３２】
具体的には、移動判定部３７は、例えば、移動検知部１３の出力が変化した場合に、電子黒板１００が移動したと判定しても良い。また、近距離データ通信部３１は、移動判定部が「電子黒板１００が移動した」と判定した場合に、データを出力する。
【００３３】
描画範囲設定部３８は、近距離データ受信部３０が他の電子黒板からの応答を受信した場合、その応答に従って、表示操作部１１の描画領域２０に描画する画像の範囲を設定する。
【００３４】
次に、図４及び図５を参照して、本実施形態の電子黒板１００の動作について説明する。図４は、電子黒板の動作を説明する第一のフローチャートである。図４では、電子黒板１００が他の電子黒板１００と隣り合う位置に移動された場合における、電子黒板１００の動作を示す。
【００３５】
本実施形態の電子黒板１００は、制御部１０の移動判定部３７により、自機の移動を検出したか否かを判定する（ステップＳ４０１）。ステップＳ４０１において、移動が検出されない場合、電子黒板１００は、待機する。
【００３６】
ステップＳ４０１において、移動が検出された場合、電子黒板１００は、近距離データ送信部３１により、データを送信する（ステップＳ４０２）。ここで送信されるデータは、例えば、電子黒板１００を特定する識別情報等であっても良い。
【００３７】
続いて、電子黒板１００は、近距離データ受信部３０により、ステップＳ４０２で送信したデータに対する応答を受信したか否かを判定する（ステップＳ４０３）。ステップＳ４０３において、応答を受信しない場合、電子黒板１００は、ステップＳ４０１へ戻る。
【００３８】
尚、応答を受信しない場合とは、電子黒板１００は移動されたが、隣り合う位置に他の電子黒板１００が配置されていない場合を示す。
【００３９】
ステップＳ４０３において、応答を受信した場合、電子黒板１００は、描画範囲設定部３８により、受信した応答から、自機と他の電子黒板１００との位置関係を解析する（ステップＳ４０４）。
【００４０】
具体的には、例えば、描画範囲設定部３８は、近距離無線通信部１２−１から送信したデータに対する応答を受信した場合には、近距離無線通信部１２−１側に、他の電子黒板１００が配置されていると判定する。また、描画範囲設定部３８は、例えば、データを送信してから応答を受信するまでの間の時間に基づき、電子黒板１００と他の電子黒板１００との間の距離等を算出しても良い。
【００４１】
また、電子黒板１００は、このとき、他の電子黒板１００との間で、近距離無線通信により、無線通信部１６を用いた通信を行うための各種のやりとりを行う。具体的には、電子黒板１００は、他の電子黒板１００との間で、画像データの送信側と受信側の決定や、通信の暗号化等を行っている。尚、画像データの送受信は、無線通信部１６を用いた無線通信によって行われる。
【００４２】
続いて、電子黒板１００は、描画範囲設定部３８により、電子黒板１００に入力される画像データが示す画像のうち、描画領域２０に表示させる画像の範囲を設定する（ステップＳ４０５）。ステップＳ４０５の詳細は後述する。
【００４３】
続いて、電子黒板１００は、画像データ生成部３５により、設定された範囲と対応する画像データを生成して、描画部３６により描画させ（ステップＳ４０６）、処理を終了する。
【００４４】
以下にステップＳ４０５の処理について説明する。図４の処理は、電子黒板１００は、他の電子黒板１００と並べて配置されておらず、入力された画像データが示す画像全体を、電子黒板１００の描画領域２０に描画させる状態から、スタートする。
【００４５】
つまり、図４の処理の実行が開始される前の段階において、電子黒板１００では、描画領域２０に描画する画像の範囲として、画像データが示す画像全体を含む範囲が設定されている。本実施形態では、電子黒板１００のこの状態を、単独描画モードと呼ぶことがある。つまり、単独描画モードとは、電子黒板１００の描画領域２０に描画させる画像の範囲が、画像データが示す画像全体を含む範囲に設定されている状態である。
【００４６】
この状態において、電子黒板１００と隣り合う位置に他の電子黒板１００が配置されたことを検出すると、電子黒板１００は、電子黒板１００の描画領域と、他の電子黒板１００の描画領域とのよって、画像データが示す画像の全体が描画されるように、電子黒板１００の描画領域２０に描画させる画像の範囲を決定する。
【００４７】
言い換えれば、電子黒板１００は、描画領域２０に描画される画像の範囲を、画像データが示す画像全体の一部を含む範囲に設定する。
【００４８】
本実施形態では、電子黒板１００のこの状態を、拡張描画モードと呼ぶことがある。つまり、拡張描画モードとは、電子黒板１００の描画領域２０に描画させる画像の範囲が、画像データが示す画像の一部を含む範囲に設定され、さらに、画像データが示す画像のうちの電子黒板１００の描画領域２０に描画しなかった画像を他の電子黒板１００に向かって無線データ送信部３２から送信する状態である。尚、拡張描画モードでは、他の電子黒板１００の描画領域２０に描画させる画像の範囲が、画像データが示す画像の一部を含む範囲に設定され、さらに、画像データが示す画像のうちの他の電子黒板１００の描画領域２０に描画しなかった画像を電子黒板１００に向かって無線データ送信部３２から送信する状態としてもよい。
【００４９】
本実施形態では、例えば、電子黒板１００の右側に他の電子黒板１００が配置されたことを検出すると、描画範囲設定部３８は、画像データが示す画像の左側半分を、電子黒板１００の描画領域２０に描画させる画像の範囲としても良い。
【００５０】
尚、ここで、他の電子黒板１００は、電子黒板１００から、近距離無線通信によりデータを受信した場合に、単独描画モードから拡張描画モードへ移行しても良い。
【００５１】
図５は、電子黒板の動作を説明する第二のフローチャートである。図５では、他の電子黒板１００と隣り合う位置に配置された電子黒板１００が移動された場合における、電子黒板１００の動作を示す。
【００５２】
図５のステップＳ５０１とステップＳ５０２の処理は、図４のステップＳ４０１とステップＳ４０２の処理と同様であるから、説明を省略する。
【００５３】
ステップＳ５０２に続いて、電子黒板１００は、ステップＳ５０２で送信したデータに対する応答を受信したか否かを判定する（ステップＳ５０３）。
【００５４】
ステップＳ５０３において、応答を受信した場合、電子黒板１００は、ステップＳ５０１へ戻る。つまり、電子黒板１００は、他の電子黒板１００と隣り合う位置に配置されているため、拡張描画モードを維持する。
【００５５】
ステップＳ５０３において、応答を受信しない場合、電子黒板１００は、描画範囲設定部３８により、拡張描画モードから単独描画モードへ移行させ（ステップＳ５０４）、処理を終了する。
【００５６】
ステップＳ５０３において、応答を受信しない場合とは、電子黒板１００と隣り合うように配置された他の電子黒板１００が存在しないことを示している。したがって、電子黒板１００は、描画範囲設定部３８により、電子黒板１００もの描画領域２０に描画させる画像の範囲を、画像データが示す画像全体とする。
【００５７】
尚、図５では、電子黒板１００が移動を検出した場合に、近距離データ受信部３０からデータを送信するものとしたが、これに限定されない。電子黒板１００は、例えば、自機が拡張描画モードである場合には、定期的に近距離データ受信部３０からデータを送信し、一定の期間応答を受信しなかった場合に、拡張描画モードを単独描画モードに移行させても良い。
【００５８】
このように、本実施形態の電子黒板１００は、自機が移動したことを検出した後に、近距離無線通信により、隣り合う位置に他の電子黒板１００が配置されているか否かを検出し、配置されている場合に拡張描画モードに移行させる。また、本実施形態の電子黒板１００は、拡張描画モードである場合に、自機と隣り合う位置に配置された他の電子黒板１００が存在しないことを検出すると、単独描画モードに移行させる。
【００５９】
したがって、本実施形態では、単独描画モードと拡張描画モードとの切り替えにおいて、ユーザの操作が不要となる。また、本実施形態では、電子黒板１００の移動の有無を検出した後に、近距離無線通信により、他の電子黒板１００の配置の有無を判定するため、他の電子黒板１００を探すための通信によって電力が消耗されることがない。
【００６０】
このように、本実施形態によれば、簡素な手順で描画領域を変更させることができる。また、本実施形態によれば、一方の表示装置が他方の表示装置に近づいた際に、容易に表示の設定変更を制御することができる。
【００６１】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００６２】
１０  制御装置
１１  表示操作部
１２  近距離無線通信部
１３  移動検知部
１４  記憶装置
１５  メモリ装置
１６  無線通信部
３０  近距離データ受信部
３１  近距離データ送信部
３２  無線データ送信部
３３  無線データ受信部
３４  入力受付部品
３５  画像データ生成部
３６  描画部品
３７  移動判定部
３８  描画範囲設定部
１００  電子黒板
【先行技術文献】
【特許文献】
【００６３】
【特許文献１】特開２０１３−１８２０８９号公報
【図１】
2020020899.tif 000003
【図２】
2020020899.tif 000004
【図３】
2020020899.tif 000005
【図４】
2020020899.tif 000006
【図５】
2020020899.tif 000007